(57)【要約】【課題】部品点数を少なくして構造を簡単にするとともに、耐湿性、電気絶縁性、長寿命を確保したファンモータおよびそのファンモータを用いた送風ファンを提供することを目的とする。【解決手段】合成樹脂よりなるハウジング部材１およびインシュレータ部材５でコア６および駆動コイル７を保持し、それらの外側に合成樹脂によって形成される外郭部材９をもつステータ本体１０を備え、ハウジング部材１とインシュレータ部材５は一体成形され、ハウジング部材１の中心に単一のすべり軸受２とこれにより回転保持される回転軸３を配置し、ハウジング部材１または外郭部材９の一部に潤滑油保油材１４およびその収容部１１を設けた構成のファンモータとする。【選択図】  図１
2005020802.tif 000002
【特許請求の範囲】
【請求項１】
開口部を有した有底のハウジング部材とその外側周辺部に位置しコアの一部を覆い駆動コイルとコアとを絶縁しかつそれぞれを保持するインシュレータ部材と駆動回路からなるステータと、前記ステータの外側に形成された外郭部材と、前記外郭部材本体の外周を囲み内側にコアの磁極に対応するマグネットをもつ外転型のカップ状のロータによって構成されるファンモータであって、ハウジング部材とインシュレータ部材は一体に形成され、ハウジング部材内側に単一のすべり軸受とこれにより回転保持される回転軸を配置し、前記すべり軸受にその一部が接触するように配した潤滑油保油材およびその収容部をハウジング部材の一部に設けたことを特徴とするファンモータ。
【請求項２】
潤滑油保油材の収容部は、前記ハウジング部材の略円筒部分を周壁とし、収容部の端部に接合したカバーキャップを有することを特徴とする請求項１記載のファンモータ。
【請求項３】
ハウジング部材は、カバーキャップを接合させる端部を外郭部材の外側に突出させて構成したことを特徴とする請求項２記載のファンモータ。
【請求項４】
ハウジング部材は、内底に油溜り部を有し、内底よりすべり軸受方向に次第に内径が大きくなるように内側面が傾斜している構成としたことを特徴とする請求項１〜３のいずれかに記載のファンモータ。
【請求項５】
ハウジング部材およびインシュレータ部材は熱可塑性合成樹脂材よって形成され、外郭部材は熱硬化性合成樹脂によって形成されていることを特徴とする請求項１記載のファンモータ。
【請求項６】
開口部を有した有底のハウジング部材とその外側周辺部に位置しコアの一部を覆い駆動コイルとコアとを絶縁しかつそれぞれを保持するインシュレータ部材と駆動回路からなるステータと、前記ステータの外側に形成された外郭部材と、前記外郭部材本体の外周を囲み内側にコアの磁極に対応するマグネットをもつ外転型のカップ状のロータによって構成されるファンモータであって、ハウジング部材とインシュレータ部材は一体に形成され、ハウジング部材内側に単一のすべり軸受とこれにより回転保持される回転軸を配置し、前記すべり軸受にその一部が接触するように配した潤滑油保油材およびその収容部を外郭部材の一部に設けたことを特徴とするファンモータ。
【請求項７】
潤滑油保油材の収容部は、前記外郭部材の略円筒部分を周壁とし、収容部の端部に接合したカバーキャップを有することを特徴とする請求項６記載のファンモータ。
【請求項８】
ハウジング部材は、内底に油溜り部を有し、内底よりすべり軸受方向に次第に内径が大きくなるように内側面が傾斜している構成としたことを特徴とする請求項６または７のいずれかに記載のファンモータ。
【請求項９】
ハウジング部材、インシュレータ部材、および外郭部材は熱可塑性合成樹脂材によって形成されていることを特徴とする請求項６記載のファンモータ。
【請求項１０】
潤滑油保油材収容部の内部にすべり軸受の押さえ部材を設けたことを特徴とする請求項２または７記載のいずれかに記載のファンモータ。
【請求項１１】
請求項１または６に記載のファンモータを用いたことを特徴とする送風ファン。
【発明の詳細な説明】
【０００１】
【発明の属する技術分野】
本発明は、冷蔵庫の庫内空気循環その他機器の冷却などに用いるファンモータに関し、特に構造が簡単で、耐湿性、電気絶縁性、長寿命を確保したファンモータおよびそのファンモータを用いた送風ファンに関する。
【０００２】
【従来の技術】
一般に、この種のファンモータは、ブラシレスモータ構成とし、電気絶縁性のよいものとするためにステータを合成樹脂材でモールド成形する構成のものが多い。また、構造を簡単にするために軸受としてすべり軸受を用い、寿命を延ばすために軸受に潤滑用の油を補給するようにしている。
【０００３】
図４は従来のファンモータの断面図で、図５は従来の他のファンモータの断面図である。
【０００４】
図４のファンモータは図示のようにアルミ金属よりなるほぼ円筒状のハウジング部材５１が上下２箇所に配置され、それぞれがすべり軸受５２を収容するとともに、このすべり軸受５２によって回転軸５３を回転自在に保持している。このハウジング部材５１の上下両端部内には、すべり軸受５２に潤滑油を補給するための潤滑油保油材５４を収容してあり、ハウジング部材５１の外側にはコア５５および駆動コイル５６を取り付け、その外側に合成樹脂材をモールド成形して外郭部材５７を形成し、こうしてステータ本体５８を構成している。なお、ハウジング部材５１の両端部にはカバー５９を圧入などで取り付けてあり、また、回転軸５３にはファン負荷側に位置するすべり軸受５２に対応する油切り６０を取り付けている。前記の回転軸５３には、ステータ本体５８のコア５５に対応するマグネット６１を有し、かつ、ステータ本体５８を囲むカップ状のロータ６２を結合している。
【０００５】
図４中の６３は電気回路をもつプリント基板、６４はモータケーシング、６５はファンの羽根である。
【０００６】
上記構成のファンモータは、小型で、かつ耐蝕性、耐湿性、および電気絶縁性もよく、また、油補給により寿命を延ばすことができるが、２個のすべり軸受５２と、２個の潤滑油保油材５４を用いることから部品点数が多くなり、また、構造が複雑で、コストアップの要因になる。また、市場では、ロータは外転型で、ステータ本体はそのハウジング部材内に単一のすべり軸受をもち、かつ、ハウジング部材のファン負荷側に抜け止め防止材およびハウジング蓋をもつ構成として、部品点数を少なくしたファンモータが開発されている。
【０００７】
すなわち図５に示すように、ステータ本体６６における合成樹脂よりなる略円筒状のハウジング部材６７内に単一のすべり軸受６８を配置するとともに、このすべり軸受６８によって回転軸７９を回転自在に保持している。このハウジング部材６７内のファン負荷側には、回転軸７９の抜け止め防止部材６９を配置してあり、抜け止め防止部材６９は上端の内突部７０を回転軸７９の溝７１に嵌めこんで係り止めされている。前記ハウジング部材６７の外側にはコア７２および駆動コイル７３を設け、ハウジング部材６７に超音波溶着されたインシュレータ部材７４で保持している。そしてインシュレータ部材７４の一部をハウジング蓋７５としている。図中の７６は外回転型のロータ、７７はそのマグネット、７８は回路基板である（特許文献１）。
【０００８】
前記構成のファンモータは、単一のすべり軸受６８を用いることからモータとしての構造が簡単で安価となり、部品点数を少なくするとともに部品の位置決めが容易であり、また、組み立て作業も容易にできる。しかしながら、このものは合成樹脂材料を用いた外郭部材が構成要素とされていないので、冷蔵庫等の高湿度環境下での使用時は、錆びの発生や電気絶縁性もよくないという問題があり、また潤滑油が切れたとき、その補充ができないことから、寿命を延ばすことができないばかりでなく、回転軸やロータを抜き出してメンテナンスもできないという問題もあった。
【０００９】
【特許文献１】
特開平８−９８４４７号公報
【００１０】
【発明が解決しようとする課題】
ところで、図５に示す構成のファンモータのステータ本体に対し、錆びの発生を抑制し電気絶縁性を改善するために、単に合成樹脂材料をモールド成形して外郭部材を形成することも考えられるが、この場合にはつぎのような不具合がある。たとえばモールド成形時に超音波溶着部分に応力が加わり強度的に耐えられない可能性がある。さらに潤滑油保油材がないので油洩れの可能性もあり洩れた油がモールド成形された合成樹脂材料の外郭部材に吸収されやすくなる問題もあるので、その分寿命を延ばすこともできない。また、回転軸やロータを容易に取り外せない構造であるので外部から給油することもできないなどの問題がある。したがって、このような構造のファンモータは、モールドタイプのファンモータに使用するのに適していない。
【００１１】
本発明は前記従来の問題に留意し、冷蔵庫等の高湿度環境下での使用も可能で、錆びの発生を抑制できる高耐湿性、良好な電気絶縁性、軸受からの油が洩れにくく高寿命で、かつモールドタイプのファンモータであっても支障のない潤滑油保油材を備え構造が簡単で安価なファンモータおよびそのファンモータを用いた送風ファンを提供することを目的とする。
【００１２】
【課題を解決するための手段】
前記目的を達成するために本発明は、合成樹脂よりなるハウジング部材およびインシュレータ部材でコアおよび駆動コイルを保持し、それらの外側に合成樹脂材料によって形成される外郭部材をもつステータ本体を備えたファンモータであって、ハウジング部材とインシュレータ部材は一体に形成され、ハウジング部材内側に単一のすべり軸受とこれにより回転保持される回転軸を配置し、ハウジング部材または外郭部材の一部に潤滑油保油材を設けた構成のファンモータとする。
【００１３】
本発明によれば、部品点数を少なくして構造を簡単にすることにより安価で、長寿命、高耐湿性を確保できるモールドタイプのファンモータが実現できる。
【００１４】
【発明の実施の形態】
本発明の請求項１に記載の発明は、開口部を有した有底のハウジング部材、その外側周辺部に位置しコアの一部を覆い駆動コイルとコアとを絶縁しかつそれぞれを保持するインシュレータ部材、および駆動回路からなるステータと、ステータの外側に形成された外郭部材と、外郭部材本体の外周を囲み、内側にコアの磁極に対応するマグネットをもつ外転型のカップ状のロータによって構成されるファンモータであって、ハウジング部材とインシュレータ部材は一体に形成され、ハウジング部材内側に単一のすべり軸受とこれにより回転保持される回転軸を配置し、すべり軸受にその一部が接触するように配した潤滑油保油材およびその収容部をハウジング部材の一部に設けたことを特徴とするファンモータであり、軸受および潤滑油保油材がそれぞれ１個ですみ、潤滑油保油材収容部を別に設ける必要もなく、その結果部品点数が少なくなって構造を簡単にするとともに、潤滑油保油材より油が補給されるのでファンモータの寿命を延ばすことができるという作用を有する。
【００１５】
本発明の請求項２に記載の発明は、請求項１に記載のファンモータにおいて、潤滑油保油材の収容部は、ハウジング部材の略円筒部分を周壁とし、収容部の端部に接合したカバーキャップを有する構成としたものであり、潤滑油保油材をその収容部内で安定して保持することができ、組み立て加工も容易であるという作用を有する。
【００１６】
本発明の請求項３に記載の発明は、請求項２に記載のファンモータにおいては、ハウジング部材は、カバーキャップを接合させる端部を外郭部材の外側に突出させて構成されたものであり、カバーキャップを超音波溶着、圧入、接着、ネジ締めなどの接合方法により組み立て加工が容易になるという作用を有する。
【００１７】
本発明の請求項４に記載の発明は、請求項１〜３のいずれかに記載のファンモータにおいて、ハウジング部材は、内底に油溜り部を有し、内底よりすべり軸受方向に次第に内径が大きくなるように内側面が傾斜している構成としたものであり、ファンモータをその回転軸が水平となるようにした状態において、油溜り部の油はハウジング部材における傾斜した内側面によりすべり軸受に案内され、効果的に油を作用させることができるという作用を有する。
【００１８】
本発明の請求項５に記載の発明は、請求項１に記載のファンモータにおいて、ステータ本体の外郭部材は熱硬化性合成樹脂材によって形成されたものであり、耐湿性、電気絶縁性を良好にするとともに、ハウジング部材およびインシュレータ部材は熱可塑性合成樹脂材によって形成され、油を吸収することなく、油の漏洩を防止できるという作用を有する。
【００１９】
本発明の請求項６に記載の発明は、開口部を有した有底のハウジング部材、その外側周辺部に位置しコアの一部を覆い駆動コイルとコアとを絶縁しかつそれぞれを保持するインシュレータ部材、ならびに駆動回路からなるステータと、ステータの外側に形成された外郭部材と、外郭部材本体の外周を囲み、内側にコアの磁極に対応するマグネットをもつ外転型のカップ状のロータによって構成されるファンモータであって、ハウジング部材とインシュレータ部材は一体に形成され、ハウジング部材内側に単一のすべり軸受とこれにより回転保持される回転軸を配置し、すべり軸受にその一部が接触するように配した潤滑油保油材およびその収容部を外郭部材の一部に設けたことを特徴とするファンモータで、軸受および潤滑油保油材がそれぞれ１個ですみ、潤滑油保油材収容部を別に設ける必要もなく、その結果部品点数が少なくなって構造を簡単にするとともに、潤滑油保油材より油が補給されるのでファンモータの寿命を延ばすことができるという作用を有する。
【００２０】
本発明の請求項７に記載の発明は、請求項６に記載のファンモータにおいて、潤滑油保油材の収容部は、外郭部材の略円筒部分を周壁とし、収容部の端部に接合したカバーキャップを有する構成としたものであり、潤滑油保油材をその収容部内で安定して保持することができ、組み立て加工も容易であるという作用を有する。
【００２１】
本発明の請求項８に記載の発明は、請求項６または７のいずれかに記載のファンモータにおいて、ハウジング部材は、内底に油溜り部を有し、内底よりすべり軸受方向に次第に内径が大きくなるように内側面が傾斜している構成としたものであり、ファンモータをその回転軸が水平となるようにした状態において、油溜り部の油はハウジング部材における傾斜した内側面によりすべり軸受に効果的に油をもどすことができるという作用を有する。
【００２２】
本発明の請求項９に記載の発明は、請求項６に記載のファンモータにおいて、ステータ本体の外郭部材は熱可塑性合成樹脂材によって形成されたものであり、耐湿性、電気絶縁性を良好にするとともに、ハウジング部材およびインシュレータ部材も熱可塑性合成樹脂材によって形成され、油を吸収することなく、油の漏洩を防止できるという作用を有する。
【００２３】
本発明の請求項１０に記載の発明は、請求項２または７に記載のファンモータにおいて、潤滑油保油材収容部の内部にすべり軸受の押さえ部材を設け、すべり軸受を確実にハウジング部材の内側に固定できるという作用を有する。
【００２４】
本発明の請求項１１に記載の発明は、請求項１または６に記載のファンモータを用いた送風ファンであって、小型で、かつ耐蝕性、耐湿性、および電気絶縁性もよく、また、油補給により長寿命を確保できるという作用を有する。
【００２５】
（実施の形態）
図１は、本発明の実施の形態１におけるファンモータの断面図、図２（ａ），（ｂ）は同ファンモータにおけるすべり軸受の押さえ部材の平面および断面図である。
【００２６】
図１に示すように、この実施の形態１のファンモータは、熱可塑性合成樹脂、たとえばポリブチレンテレフタレートやポリエチレンテレフタレートよりなる略その内径が円筒状のハウジング部材１と、このハウジング部材１の内部に配置されたすべり軸受２と、すべり軸受２で回転自在に保持された回転軸３と、ハウジング部材１に設けられた潤滑油保油材１４と、ハウジング部材１の外側周辺に位置したポリブチレンテレフタレートやポリエチレンテレフタレートなどの熱可塑性樹脂よりなるインシュレータ部材５と、ハウジング部材１およびインシュレータ部材５とによって保持されたコア６および駆動コイル７と、駆動コイル７に電気的接続するプリント基板８と、ハウジング部材１とインシュレータ部材５とコア６および駆動コイル７とプリント基板８を包み覆う熱硬化性合成樹脂、たとえば不飽和ポリエステルよりなる外郭部材９とによってステータ本体１０を構成している。
【００２７】
ここでハウジング部材１は、潤滑油保油材１４を収容するためその端部の内径を大きく形成して、この部分を潤滑油保油材収容部１１の周壁としてあり、内底部を油溜め部１２としている。そして、油溜め部１２の内側面は、内底よりすべり軸受２の方向に次第に内径が大きくなるように傾斜内側面１３としている。また、ハウジング部材１はインシュレータ部材５と同じ熱可塑性合成樹脂を用いており、そしてハウジング部材１はインシュレータ部材５と一体に成型している。
【００２８】
前記ハウジング部材１の潤滑油保油材収容部１１内には、油を含浸させた潤滑油保油材１４をすべり軸受２に接触するように収容してあり、また、すべり軸受２を押さえる押さえ部材１５も収容している。この押さえ部材１５は、金属板または合成樹脂成型品よりなり、図２に示すように皿型に形成され、中央に回転軸３が挿通し、かつ、孔縁がすべり軸受２の上端部に接するようにした孔１６と、外側に複数個の突出片１７を有している。前記回転軸３には、潤滑油保油材収容部１１内に位置する部分に油切り１８を嵌め止めている。また、ハウジング部材１における保油部材収容部１１の端部には潤滑油保油材１４を覆うカバーキャップ１９を超音波溶着あるいは圧入、接着、ネジ締めなどの接合方法により取り付けている。尚、このカバーキャップ１９には、油切り１８の外径より大きい径の抜き孔２０を形成しており、カバーキャップ１９を取り付ける潤滑油保油材収容部１１の端部は、ステータ本体１０の外郭部材９より突出させている。
【００２９】
ロータ２１は、ステータ本体１０の外周を囲み、かつ、回転軸３に結合したカップ状の回転部材２２と、このカップ状の回転部材２２の内側に前記ステータ本体１０のコア６の磁極と対応するように設けられたマグネット２３によって構成されている。そして、ファンのボス部２４が回転軸３に取り付けられてファンモータが構成されている。なお、この図１ではファンの羽根は省略している。
【００３０】
上記本実施の形態１のファンモータは、ステータ本体１０の駆動コイル７に駆動電流を流すことにより回転磁界が発生し、マグネット２３をもつロータ２１が回転し、回転軸３に結合したファンが回転して所要の送風を行うことができる。前記ロータ２１の回転時において、すべり軸受２内には油が含侵されているので回転軸３は円滑に回転するが、すべり軸受２内のオイルが消耗されると、すべり軸受２と接触している潤滑油保油材１４より油が補給され、すべり軸受２には常に潤滑油が含油され、常に運転に支障なく回転軸３は回転する。このようにこのファンモータでは、潤滑油保油材収容部１１がハウジング部材１の一部に設けられており、またすべり軸受２がおよび潤滑油保油材１４がそれぞれ１個ですみ、部品点数が少なく、また、潤滑油保油材１４より運転時に油が補給されるので、構造を簡単にするとともに寿命を延ばすことができる。
【００３１】
また、組立てられたすべり軸受２も押さえ部材１５により固定され位置が安定する。さらに、潤滑油保油材収容部１１の内部にすべり軸受２の外周の一部に密接する潤滑油保油材１４を有しているので、潤滑油保油材１４に含油された油がすべり軸受２に効果的に補給される。また、ハウジング部材１におけるカバーキャップ１９を接合させる潤滑油保油材収容部１１の端部を外郭部材９の外側に突出させていることから、カバーキャップ１９を超音波溶着あるいは圧入、接着、ネジ締めなどの接合方法により取り付け作業が容易で、組立加工性がよい。
【００３２】
また、ハウジング部材１は、内底に油溜め部１２を有し、内底よりすべり軸受２方向に次第に内径が大きくなるようにした傾斜内側面１３をもつので、ファンモータをその回転軸３が水平となるようにした状態においては、油溜め部１２の油はハウジング部材１における傾斜内側面１３によりすべり軸受２へ効果的に油をもどすことができる。
【００３３】
さらに、合成樹脂よりなるハウジング部材１とインシュレータ部材５を一体に形成しその一部に潤滑油保油材収容部１１を設けているので、部品点数を大幅に少なくするとともに製造方法を容易にし、コウトダウンが可能となる。また、ステータ本体１０の外郭部材９は熱硬化性合成樹脂材によって形成されているので、耐蝕性、耐湿性、電気絶縁性がよくなり冷蔵庫等の高湿度環境下での信頼性を十分確保できる。
【００３４】
図３は、本発明の実施の形態２におけるファンモータの断面図である。
【００３５】
図３に示すように、この実施の形態２のファンモータは、熱可塑性合成樹脂、たとえばポリブチレンテレフタレートやポリエチレンテレフタレートよりなる略その内径が円筒状のハウジング部材１と、このハウジング部材１の内部に配置されたすべり軸受２と、すべり軸受２で回転自在に保持された回転軸３と、ハウジング部材１に設けられた潤滑油保油材１４と、ハウジング部材１の外側周辺に位置したポリブチレンテレフタレートやポリエチレンテレフタレートなどの熱可塑性樹脂よりなるインシュレータ部材５と、ハウジング部材１およびインシュレータ部材５とによって保持されたコア６および駆動コイル７と、駆動コイル７に電気的接続するプリント基板８と、ハウジング部材１とインシュレータ部材５とコア６および駆動コイル７とプリント基板８を包み覆う熱可塑性合成樹脂、たとえばポリブチレンテレフタレートやポリエチレンテレフタレートよりなる外郭部材９とによってステータ本体１０を構成している。
【００３６】
ここで外郭部材９は、潤滑油保油材１４を収容するためその端部の内径を大きく形成して、この部分を潤滑油保油材収容部１１の周壁としてある。またインシュレータ部材５は、その内底部を油溜め部１２としていおり、油溜め部１２の内側面は、内底よりすべり軸受２の方向に次第に内径が大きくなるように傾斜内側面１３としている。また、ハウジング部材１はインシュレータ部材５と同じ熱可塑性合成樹脂を用いており、そしてハウジング部材１はインシュレータ部材５と一体に成型している。
【００３７】
前記外郭部材９の潤滑油保油材収容部１１内には、油を含浸させた潤滑油保油材１４をすべり軸受２に接触するように収容してあり、また、すべり軸受２を押さえる押さえ部材１５も収容している。この押さえ部材１５は、金属板または合成樹脂成型品よりなり、図２に示すように皿型に形成され、中央に回転軸３が挿通し、かつ、孔縁がすべり軸受２の上端部に接するようにした孔１６と、外側に複数個の突出片１７を有している。前記回転軸３には、潤滑油保油材収容部１１内に位置する部分に油切り１８を嵌め止めている。また、ハウジング部材１における保油部材収容部１１の端部には潤滑油保油材１４を覆うカバーキャップ１９を超音波溶着あるいは圧入、接着、ネジ締めなどの接合方法により取り付けている。尚、このカバーキャップ１９には、油切り１８の外径より大きい径の抜き孔２０を形成しており、カバーキャップ１９を取り付ける潤滑油保油材収容部１１の端部は、カバーキャップ１９を接合し易いようにその一部を突出させている。
【００３８】
ロータ２１は、ステータ本体１０の外周を囲み、かつ、回転軸３に結合したカップ状の回転部材２２と、このカップ状の回転部材２２の内側に前記ステータ本体１０のコア６の磁極と対応するように設けられたマグネット２３によって構成されている。そして、ファンのボス部２４が回転軸３に取り付けられてファンモータが構成されている。なお、この図３ではファンの羽根は省略している。
【００３９】
上記本実施の形態２のファンモータは、ステータ本体１０の駆動コイル７に駆動電流を流すことにより回転磁界が発生し、マグネット２３をもつロータ２１が回転し、回転軸３に結合したファンが回転して所要の送風を行うことができる。前記ロータ２１の回転時において、すべり軸受２内には油が含侵されているので回転軸３は円滑に回転するが、すべり軸受２内のオイルが消耗されると、すべり軸受２と接触している潤滑油保油材１４より油が補給され、すべり軸受２には常に潤滑油が含油され、常に運転に支障なく回転軸３は回転する。このようにこのファンモータでは、潤滑油保油材収容部１１が外郭部材９の一部に設けられており、またすべり軸受２がおよび潤滑油保油材１４がそれぞれ１個ですみ、部品点数が少なく、また、潤滑油保油材１４より運転時に油が補給されるので、構造を簡単にするとともに寿命を延ばすことができる。
【００４０】
また、組立てられたすべり軸受２も押さえ部材１５により固定され位置が安定する。さらに、潤滑油保油材収容部１１の内部にすべり軸受２の外周の一部に密接する潤滑油保油材１４を有しているので、潤滑油保油材１４に含油された油がすべり軸受２に効果的に補給される。また、ハウジング部材１におけるカバーキャップ１９を接合させる潤滑油保油材収容部１１の端部を外郭部材９の外側に突出させていることから、カバーキャップ１９を超音波溶着あるいは圧入、接着、ネジ締めなどの接合方法により取り付け作業が容易で、組立加工性がよい。
【００４１】
また、ハウジング部材１は、内底に油溜め部１２を有し、内底よりすべり軸受２方向に次第に内径が大きくなるようにした傾斜内側面１３をもつので、ファンモータをその回転軸３が水平となるようにした状態においては、油溜め部１２の油はハウジング部材１における傾斜内側面１３によりすべり軸受２へ効果的に油をもどすことができる。
【００４２】
さらに、合成樹脂よりなるハウジング部材１とインシュレータ部材５が一体に形成されているので、部品点数を大幅に少なくするとともに製造方法を容易にし、コウトダウンが可能となる。また、ステータ本体１０の外郭部材９は熱可塑性合成樹脂材によって形成されているので、耐蝕性、耐湿性、電気絶縁性がよくなり冷蔵庫等の高湿度環境下での信頼性を十分確保できる。
【００４３】
【発明の効果】
以上の説明より明らかなように本発明によるファンモータは、すべり軸受および潤滑油保油材がそれぞれ１個ですみ、部品点数が少なく構造を簡単にする。また、潤滑油保油材収容部はハウジング部材の一部に設けられるので、この点からも構造が簡単になり、組立てられたすべり軸受も押さえ部材により固定位置が安定するものであり、さらに、潤滑油保油材収容部にはその内部にすべり軸受の外周の一部に密接する油保持材を有しているので、潤滑油保油材に含油された油がすべり軸受に効果的に補給され、長寿命を確保できるファンモータを安価で提供できる。
【図面の簡単な説明】
【図１】本発明の実施の形態１におけるファンモータの断面図
【図２】（ａ）同ファンモータにおける軸受押さえ部材の平面図
（ｂ）同ファンモータにおける軸受押さえ部材の断面図
【図３】本発明の実施の形態２におけるファンモータの断面図
【図４】従来のファンモータの断面図
【図５】従来の他のファンモータの断面図
【符号の説明】
１  ハウジング部材
２  すべり軸受
３  回転軸
４  潤滑油補給部
５  インシュレータ部材
６  コア
７  駆動コイル
８  プリント基板
９  外郭部材
１０  ステータ本体
１１  潤滑油保油材収容部
１２  油溜め部
１３  傾斜内側面
１４  潤滑油保油材
１５  押さえ部材
１６  孔
１７  突出片
１８  油切り
１９  カバーキャップ
２０  抜き孔
２１  ロータ
２２  回転部材
２３  マグネット
２４  ファンのボス
【図１】
2005020802.tif 000003
【図２】
2005020802.tif 000004
【図３】
2005020802.tif 000005
【図４】
2005020802.tif 000006
【図５】
2005020802.tif 000007